(57)【特許請求の範囲】
【請求項１】
メガネ、特にリムレスメガネ（１）であって、
その際、メガネのレンズ（２）が、外側縁部側の貫通孔（３）を、
合成物質糸（６）を用いてのメガネのつる（４）の固定のために有している様式の上記メガネにおいて、
それぞれのメガネのつる（４）が、前記メガネのつる（４）の回転を可能にする軸部（５）を装備しており、および、
それぞれのメガネのレンズ（２）が、外側縁部側の貫通孔の二重対体（３ａ、３ｂ、および３ａ′、３ｂ′）を装備しており、
その際、それぞれのメガネのつる（４）の軸部（５）が、前記合成物質糸（６）と前記貫通孔（３）とだけを用いて、相応するメガネのレンズ（２）に固定されていること、
前記軸部（５）が、直接的に、メガネのレンズ（２）に沿って位置決めされ、且つ、前記合成物質糸（６）の糸端部の結び合わせによって固定され、その際、
この固定の様式によって、メガネのつる（４）の回転可能性が維持されること、
を特徴とするメガネ。
【請求項２】
軸部（５）が、
引き通された糸二重端部を有する糸のループによって囲繞されており、その際、
これら二重端部が、一方の隣接する貫通孔（３ｂ、もしくは３ｂ′）を通って案内され、且つ、引き続いて、他方の隣接する貫通孔（３ａ、もしくは３ａ′）を通って戻し案内されていることを特徴とする請求項１に記載のメガネ。
【請求項３】
それぞれの糸（６）の戻し案内された二重端部は、メガネのレンズ（２）に沿っての結び目（７）を介して固定されていることを特徴とする請求項２に記載のメガネ。
【請求項４】
それぞれの内側に位置する貫通孔（３ｂ、３ｂ′）は、互いに、ほぼ、メガネのつる（４）の軸部長さに相応する間隔を有していることを特徴とする請求項１から３のいずれか一つに記載のメガネ。
【請求項５】
それぞれのメガネのつる（４）は、メガネのつる用線材から成っており、その際、
軸部（５）が、このメガネのつる用線材の屈曲によって形成されていることを特徴とする請求項１から４のいずれか一つに記載のメガネ。
【請求項６】
メガネのつる（４）は、上記軸部（５）の形成の後、曲げ戻され、且つ、このメガネのつるの自由な端部（４ｄ）がメガネのつる用線材（４ａ）において固定されていることを特徴とする請求項５に記載のメガネ。
【請求項７】
それぞれのメガネのつる（４）は、合成物質及び／または金属から成る全表面的な要素から成っており、その際、
軸部（５）が、逆コの字形の形状のウェブとして形成されており、このウェブの自由な端部が、上記全表面的な要素と結合されていることを特徴とする請求項１から４のいずれか一つに記載のメガネ。
【発明の詳細な説明】
【技術分野】
【０００１】
本発明は、請求項１の上位概念内において記載された様式のメガネ、特に（縁無しの）リムレスメガネに関する。
【背景技術】
【０００２】
出願人の特許文献１から、上記様式のメガネが公知であり、このメガネの場合、それぞれのメガネのつる、およびノーズブリッジのそれぞれの端部において、直角曲げ部が、一方の内側に位置する貫通孔を通って差し込まれ、これに対して、他方の貫通孔が、これらメガネのつる、もしくはこのノーズブリッジを保持する、合成物質糸の収容および固定のために使用される。上記固定領域内において、これらメガネのつるが、独自の運動を実施可能でないので、メガネのレンズの外側縁部の近傍において、これらメガネのつるは、ヒンジ要素を備えている。
【０００３】
メガネのつるの糸固定は、一連の利点を有している。従って、特に美的な利点を与えられる。何故ならば、このメガネのつるの固定部は、これらメガネのレンズにおいて、ほとんど目視可能でなく、実際上は、メガネのヒンジが、ある種のメガネの構成において、わずかに視覚的にある程度の障害物であるからである。
【先行技術文献】
【特許文献】
【０００４】
【特許文献１】ヨーロッパ特許第１  ５１２  ０４０  Ｂ１号明細書
【発明の概要】
【発明が解決しようとする課題】
【０００５】
ここで、本発明の課題は、合成物質糸を用いてのメガネ要素の固定の維持の際に、メガネのヒンジを全く必要としないことにある。
【課題を解決するための手段】
【０００６】
冒頭に記載した様式のメガネにおいて、この課題は、本発明に従い、
それぞれのメガネのつるが、前記メガネのつるの回転を可能にする軸部を装備しており、および、
それぞれのメガネのレンズが、外側縁部側の貫通孔の二重対体を装備しており、
その際、それぞれのメガネのつるの軸部が、前記合成物質糸と前記貫通孔とだけを用いて、相応するメガネのレンズに固定されていること、
前記軸部が、直接的に、メガネのレンズに沿って位置決めされ、且つ、前記合成物質糸の糸端部の結び合わせによって固定され、その際、
この固定の様式によって、メガネのつるの回転可能性が維持されることによって解決される。
【発明の効果】
【０００７】
それぞれのメガネのつるが、このメガネのつるが軸部を配設するように形成されているので、これら軸部は、直接的に、メガネのレンズに沿って位置決めされ、且つ、合成物質糸によって固定され、その際、
この固定の様式によって、メガネのつるの回転可能性が維持された状態に留まっている。
【０００８】
本発明の実施形態は、従属請求項から与えられる。その際、軸部が、引き通された糸二重端部を有する糸のループによって囲繞されており、その際、これら二重端部が、一方の隣接する貫通孔を通って案内され、且つ、引き続いて、他方の隣接する貫通孔を通って戻し案内されていることは可能である。
【０００９】
簡単な固定および保持は、本発明に従い、それぞれの糸の戻し案内された二重端部が、メガネのレンズに沿っての結び目を介して固定されていることにある。
【００１０】
そのことが本発明で行われているように、それぞれの内側に位置する貫通孔が、互いに、ほぼ、メガネのつるの軸部長さに相応する間隔を有している場合、合目的である。
【００１１】
本発明の合目的な更なる実施形態において、それぞれのメガネのつるは、メガネのつる用線材から成っており、その際、
メガネのつるの軸部が、このメガネのつる用線材の屈曲によって形成されている。
【００１２】
更に、メガネのつるは、上記軸部の形成の後、曲げ戻され、且つ、このメガネのつるの自由な端部がメガネのつる用線材において固定されていることは可能である。
従って、メガネのつる用線材は、軸部をも含めて、専ら１つの線材だけから形成されており、このメガネのつる用線材が、適当な屈曲によって、この場合に必要な要素を形成し、その際、例えば、このメガネのつる用線材の自由な、曲げ戻された端部が、このメガネのつるの主領域において、例えばはんだ付けによって、固定され得る。
【００１３】
選択的に、それぞれのメガネのつるが、合成物質及び／または金属から成る全表面的な要素から成っており、その際、
メガネのつるの軸部が、逆コの字形の形状（［  形状）のウェブとして形成されており、このウェブの自由な端部が、上記全表面的な要素と結合されていることは可能である。これらメガネのつるの軸部は、その場合に、留め環形状にメガネのつるから外へ向かって突出しており、且つ、それぞれの糸の貫通案内を可能にする。
【００１４】
次に、本発明を、図に基づいて、例示的に詳しく説明する。
【図面の簡単な説明】
【００１５】
【図１】メガネの上面図である。
【図２】メガネの前面図である。
【図３】メガネの側面図である。
【図４】メガネのつるの、個別の固定ステップの図である。
【図５】拡大された断面図における、最終的に固定されたメガネのつるの図である。
【図６ａ】本発明に従う、メガネのつるのバリエーションの図である。
【図６ｂ】本発明に従う、メガネのつるのバリエーションの図である。
【図６ｃ】本発明に従う、メガネのつるのバリエーションの図である。
【図６ｄ】本発明に従う、メガネのつるのバリエーションの図である。
【図６ｅ】本発明に従う、メガネのつるのバリエーションの図である。
【発明を実施するための形態】
【００１６】
全般的に、参照符号１でもって指示されたメガネは、縁無しレンズメガネとして形成されており、即ち、参照符号２でもって指示されたレンズが、如何なる独自の枠縁も有してなく、むしろ、それぞれのメガネのレンズが、
参照符号３でもって指示された貫通孔から成る二重対体を、メガネのつるの固定のために、および、
更に別の、内側に位置決めされた貫通孔を、ノーズブリッジの固定のために装備されており、その際、ここで、後者のこのノーズブリッジは、更には重要ではない。
【００１７】
それぞれのメガネのつる４は、例えば、線材から一体的に形成されており、その際、それぞれのメガネのつる４が、先ず第一に、図３内において参照符号４ａでもって指示された、上側の領域を有しており、この上側の領域が、基本的に、垂直方向に屈曲され、且つ、次いで、再び、戻し屈曲されている。
メガネのつるの軸部４ｂを形成するこの領域は、図３内において参照符号４ｂでもって指示されており、その際、更に別の領域４ｃおよび４ｄを介して、この線材が、再び、最初の上側の領域４ａへと戻し案内され、その結果としてこの上側の領域と、例えばはんだ付け、またはその種の他の方法によって結合される。
【００１８】
より簡単な説明のために、メガネの線材４の軸領域４ｂは、基本的に、参照符号５でもって指示されており、その際、回転軸線が、自体、図６ａ内において、破線で書かれて示唆されている。
【００１９】
メガネのつる４は、このメガネのつるの軸部５を用いて、それぞれのメガネのレンズ２に固定されており、その際、個別の固定ステップが図４内において描写されている。
軸部５の固定のために、それぞれのメガネのレンズは、狭小に隣接して、これら貫通孔が参照符号３ａ、もしくは３ｂでもって指示されている貫通孔の第１の対体と、および、参照符号３ａ′、もしくは３ｂ′でもって指示されている貫通孔の第２の対体とを有しており、その際、両方の内側に位置する貫通孔３ｂと貫通孔３ｂ′との間の間隔が、図１から５内において図示された実施例の場合に、ほぼ、軸部５の長さに相応している。
【００２０】
メガネのつる４の組み付けは、それぞれのメガネのレンズ２において、以下のように行われる。
【００２１】
ループの形成のもとで、２つの合成物質糸、例えば、透明なペルロン糸（登録商標）６は、軸部５と結合され、その際、自由な端部が、内側に位置する貫通孔３ｂと貫通孔３ｂ′を通って案内される。更なるステップにおいて、それぞれのペルロン糸のこれら自由な端部は、貫通孔３ａもしくは貫通孔３ａ′を通って戻し案内され、且つ、引き続いて、簡単な結び目によって、そのことが図４の下側の付図内において示されているように固定される。この結び目は、その際、参照符号７でもって指示されている。
【００２２】
認識できるように、この組み付けによって、縁無しレンズメガネのこの記載された固定方法が他のシステムよりも明確に優れていることは達成され、その際、この固定方法が、比較的にコストが安く、且つ、これらレンズにおけるメガネのつるの固定のために、単に市販のナイロン糸を必要とするだけである。
【００２３】
メガネのつるの固定の上記の様式は、同様に、メガネの、耳掛けつると中間部材との間の関節運動可能な結合を形成する。従来のヒンジシステムとは対照的に、上記結合は、視覚的に、ほとんど認知可能ではない。メガネのレンズの裏側のすぐ傍におけるヒンジ軸の位置によって、メガネのつるの領域の全体を超えて、最大の形状自由性が開ける。
この観点は、メガネのデザインのために特別な意義がある。何故ならば、通常は、縁無しメガネの場合に視覚的に特に重要な、レンズへの固定部と耳掛けつるの領域（Ｂａｃｋｅ−Ｂｕｅｇｅｌｂｅｒｅｉｃｈ）が、このヒンジによって、多数のハンディキャップおよび制限を義務付けられているからである。
【００２４】
上記メガネのつるの固定が、回転関節部を既に備えているので、通常は必要なヒンジ部材、または手間暇のかかる構造は、設けなくて良い。ナイロン糸のループは、この糸端部のぴんと張った結び合わせによって、常に恒久的な張力のもとにある。このことによって、永続的に精密なヒンジ動作が、信頼できる状態で保証される。
【００２５】
図５および図６ａ内において示されているような、メガネのつるの構成の代わりに、線材フレームが、同様に異なって、図６ｂおよび６ｃが示しているように、メガネのつるの固定のための役目を果たす、単に軸部要素５ａおよび５ｂだけが形成されているように構成することは可能である。
【００２６】
選択的に、図６ｄおよび６ｅに従い、同様に、それぞれのメガネのつる４が、合成物質及び／または金属から成る全表面的な要素から成ることも可能であり、その際、それぞれのメガネのつるの軸部５が、逆コの字形の形状（［  形状）のウェブとして形成されており、このウェブが、適当に、メガネのつる４と結合されている。このウェブは、留め環形状に構成されており、且つ、糸６の貫通案内を可能にする。
【符号の説明】
【００２７】
１    メガネ
２    レンズ、メガネのレンズ
３、３ａ、３ｂ、３ａ′、３ｂ′    貫通孔
４    メガネのつる、メガネの線材
４ａ    上側の領域
４ｂ    軸部、メガネのつるの軸部、軸領域
４ｃ、４ｄ  更に別の領域
５    軸部、メガネのつるの軸部
６    糸、合成物質糸、ペルロン糸（登録商標）
７    結び目
【図１】
0005554840.tif 000002
【図２】
0005554840.tif 000003
【図３】
0005554840.tif 000004
【図４】
0005554840.tif 000005
【図５】
0005554840.tif 000006
【図６ａ】
0005554840.tif 000007
【図６ｂ】
0005554840.tif 000008
【図６ｃ】
0005554840.tif 000009
【図６ｄ】
0005554840.tif 000010
【図６ｅ】
0005554840.tif 000011